(57)【要約】【課題】外観品質が良好で、製造コストの増大を抑制し、生産性を向上させることが出来ると共に、解体容易性を有するカーペットモジュール構造を提供する。【解決手段】車両の車室内の床部を構成するフロアパネルに敷設されるカーペット部材１４の裏面側１４ａに、ワイヤハーネス２、リアウォッシャーチューブ３、空調用のフロアダクト５，５、オープナーケーブル９、スペーサ部材１６，１７、インシュレータ１５ａ〜１５ｄ…、及びキックアッププレートＲ，Ｌ等の部材が、一体化されて、カーペットモジュール１３が、主に形成されている。  これらのワイヤハーネス２等は、車体への搭載前に、予めこのカーペット部材１４の裏面側１４ａに対して、二液混合ウレタン樹脂１８…が用いられて、固定された後、フロアパネル１２と、このカーペット部材１４の間に配設されるように、各ワイヤハーネス２等の部材が、カーペット部材１４と共に、車室１１に搬入されて、展開され、フロアパネルの上面側に敷設される。【選択図】図１
2007307920.tif 000002
【特許請求の範囲】
【請求項１】
車両の床部のフロアパネルに敷設されるカーペット部材の裏面側に、予め該カーペット部材とフロアパネルとの間に配設される部材を固定する固定手段が設けられたカーペットモジュール構造であって、
前記固定手段は、二液混合ウレタン樹脂を用いていることを特徴とするカーペットモジュール構造。
【請求項２】
前記カーペット部材の裏面側には、前記二液混合ウレタン樹脂を固着させるアンカー材が添着されていることを特徴とする請求項１記載のカーペットモジュール構造。
【請求項３】
前記部材の一つが、スペーサ部材であると共に、該スペーサ部材の一部に、部材の他の一つとしての長物部材を収納する収納凹溝を設けて、該長物部材と、該収納凹部の内側面との間を前記二液混合ウレタン樹脂を用いて固着させていることを特徴とする請求項１又は２記載のカーペットモジュール構造。
【請求項４】
前記長物部材は、オープナーケーブル又は、ウォッシャーチューブのうち、少なくとも何れか一つであって、前記オープナーケーブル又は、ウォッシャーチューブを前記収納凹溝に固定する際に、前記ワイヤハーネスを、被せて収納して蓋として用いることを特徴とする請求項３記載のカーペットモジュール構造。
【請求項５】
前記スペーサ部材では、前記収納凹溝の一側壁部を車両の床部の側縁に沿わせて位置させていることを特徴とする請求項３又は４記載のカーペットモジュール構造。
【請求項６】
前記部材の前記フロアパネル側側面には、前記二液混合ウレタン樹脂の固化によって形成される擦れ止め突起部が設けられていることを特徴とするカーペットモジュール構造。
【請求項７】
前記擦れ止め突起部は、前記スペーサ部材を貫通して、前記フロアパネル側側面から前記カーペット側側面に至る注入孔の開口周縁部を隆起させて形成されていることを特徴とする請求項６記載のカーペットモジュール構造。
【請求項８】
前記カーペット部材の裏面側に、少なくとも一対のインシュレータ部材を貼設すると共に、該インシュレータ部材の対向する端面部間に形成される溝部に、長物部材を介挿して、前記二液混合ウレタン樹脂を用いて、前記各端面部間に該長物部材が固定されていることを特徴とする請求項１乃至７のうち、何れか一項記載のカーペットモジュール構造。
【請求項９】
前記端面部のうち、少なくとも何れか一方からは、対向する反対側の端面部方向に突出されると共に、突出方向の先端面に、前記長物部材を前記二液混合ウレタン樹脂によって固定する凸設部が一体に形成されていることを特徴とする請求項８記載のカーペットモジュール構造。
【発明の詳細な説明】
【技術分野】
【０００１】
本発明は、主に、車両に用いられるカーペットモジュール構造に関するものである。
【背景技術】
【０００２】
従来、車両の床部構造としては、車両の床部のフロアパネルの上面に、インシュレータ、スペーサ部材、及びワイヤ等の部材を載置して、これらの部材の上方から、カーペット部材を敷設するものが、知られている。
【０００３】
また、図１９に示すような車室内のフロア部分に敷設されるカーペット部材１の裏面側に、ワイヤハーネス２、リアウォッシャーチューブ３、フットレスト４、空調用のフロアダクト５、スペーサ部材６等の部材を一体化させたカーペットモジュール７が知られている（例えば、特許文献１等参照）。
【０００４】
このようなものでは、図２０に示すように、車両１０の生産ラインＰの近傍に配置されたカーペットモジュール折り畳み保持装置８によって、折り畳まれた状態で、車両１０の車室内１１に搬入されて、フロアパネル１２の上面に展開されて敷設される。
【０００５】
なお、カーペットに、ヒーターダクトを一体に成型したものも知られている（例えば、特許文献２等参照）。
【特許文献１】特開２００６−２７５９２号公報（第００１４段落乃至第００１９段落）
【特許文献２】実開昭６４−７０４０号公報（実施例１、図１，図２）
【発明の開示】
【発明が解決しようとする課題】
【０００６】
このように構成された従来のカーペットモジュール構造では、カーペット部材１の裏面側に、スペーサ部材６等の部材を固定する固定手段として、例えば、前記カーペット部材１の表面側から、クリップ部材を挿通して、裏面側のスペーサ部材6等を固定する構造がある。
【０００７】
しかしながら、このような構造のカーペットモジュール構造では、前記カーペット部材１の表面側に、クリップ部材の一部が露出してしまう為、このクリップ部材が見えないように別途カバー部材等を設ける等、外観品質を向上させる為の構成の追加が必要であった。
【０００８】
また、このようなクリップ部材等を用いた固定構造では、解体を容易に行うことが出来ず、リサイクル性が低下してしまうといった問題もあった。
【０００９】
更に、一般の接着材を用いて、カーペット部材１の裏面側に、スペーサ部材６等の部材を固定する場合、硬化するまでに一定の時間、例えば、数十分〜数時間が必要とされる。
【００１０】
このため、生産効率が低下してしてしまうと共に、前記車両１０の生産ラインＰの近傍で、カーペットモジュール７を組み立ててから搬入するいわゆるモジュール生産方式では、時間的制約が存在する為、採用することが困難であった。
【００１１】
また、高価な瞬間接着剤は、接着に必要とされる分量が比較的多いカーペットモジュール構造では、製造コストの上昇に繋がり、不向きであるといった問題もあった。
【００１２】
そして、カーペット部材１の裏面側に、部材としての前記ワイヤハーネス２を、接着材を用いて固定する場合、接着材の粘性が低いと、接着対象となる部材の位置に留まれず、下方へ流下してしまう。
【００１３】
また、接着材の粘性が高いと、部材間に接着材が廻り込むことが出来ずに、所望の接着力が確保できない虞があった。
【００１４】
更に、部材としての厚手のインシュレータを設けている場合、前記カーペットモジュール折り畳み保持装置８によって、折り畳まれる際に、インシュレータが、容易に屈曲しないといった問題もあった。
【００１５】
このため、インシュレータの一部を、折れ線に沿って屈曲可能な厚さまで、凹溝状に薄く加工することも考えられるが、略均一な厚さを有して形成されているインシュレータ素材から、このような凹溝状を呈するように加工することは、品質保持（保証）が困難であり、製造コストの増大を招いてしまう虞もあった。
【００１６】
そこで、この発明は、外観品質が良好で、製造コストの増大を抑制し、生産性を向上させることが出来ると共に、解体容易性を有するカーペットモジュール構造を提供することを課題としている。
【課題を解決するための手段】
【００１７】
上記目的を達成するために、請求項１に記載された発明は、車両の床部のフロアパネルに敷設されるカーペット部材の裏面側に、予め該カーペット部材とフロアパネルとの間に配設される部材を固定する固定手段が設けられたカーペットモジュール構造であって、前記固定手段は、二液混合ウレタン樹脂を用いているカーペットモジュール構造を特徴としている。
【００１８】
また、請求項２に記載されたものは、前記カーペット部材の裏面側には、前記二液混合ウレタン樹脂を固着させるアンカー材が添着されていることを特徴とする請求項１記載のカーペットモジュール構造。
【００１９】
更に、請求項３に記載されたものは、前記部材の一つが、スペーサ部材であると共に、該スペーサ部材の一部に、部材の他の一つとしての長物部材を収納する収納凹溝を設けて、該長物部材と、該収納凹部の内側面との間を前記二液混合ウレタン樹脂を用いて固着させている請求項１又は２記載のカーペットモジュール構造を特徴としている。
【００２０】
また、請求項４に記載されたものは、前記長物部材は、オープナーケーブル又は、ウォッシャーチューブのうち、少なくとも何れか一つであって、前記オープナーケーブル又は、ウォッシャーチューブを前記収納凹溝に固定する際に、前記ワイヤハーネスを、被せて収納して蓋として用いる請求項３記載のカーペットモジュール構造を特徴としている。
【００２１】
そして、請求項５に記載されたものは、前記スペーサ部材では、前記収納凹溝の一側壁部を車両の床部の側縁に沿わせて位置させている請求項３又は４記載のカーペットモジュール構造を特徴としている。
【００２２】
更に、請求項６に記載されたものは、前記部材の前記フロアパネル側側面には、前記二液混合ウレタン樹脂の固化によって形成される擦れ止め突起部が設けられているカーペットモジュール構造を特徴としている。
【００２３】
また、請求項７に記載されたものは、前記擦れ止め突起部は、前記スペーサ部材を貫通して、前記フロアパネル側側面から前記カーペット側側面に至る注入孔の開口周縁部を隆起させて形成されている請求項６記載のカーペットモジュール構造を特徴としている。
【００２４】
そして、請求項８に記載されたものは、前記カーペット部材の裏面側に、少なくとも一対のインシュレータ部材を貼設すると共に、該インシュレータ部材の対向する端面部間に形成される溝部に、長物部材を介挿して、前記二液混合ウレタン樹脂を用いて、前記各端面部間に該長物部材が固定されている請求項１乃至７のうち、何れか一項記載のカーペットモジュール構造を特徴としている。
【００２５】
更に、請求項９に記載されたものは、前記端面部のうち、少なくとも何れか一方からは、対向する反対側の端面部方向に突出されると共に、突出方向の先端面に、前記長物部材を前記二液混合ウレタン樹脂によって固定する凸設部が一体に形成されている請求項８記載のカーペットモジュール構造を特徴としている。
【発明の効果】
【００２６】
このように構成された請求項１記載のものは、カーペット部材の裏面側に、部材を固定する固定手段として、二液混合ウレタン樹脂を用いているので、該カーペット部材の表面側に、従来のようにクリップ部材等が露出することが無く、外観品質を良好なものとすることができる。
【００２７】
また、該カーペット部材の裏面側が繊維類で構成されている場合には、前記二液混合ウレタン樹脂の固着力が大きく、所望の接着力を容易に得られる。
【００２８】
そして、解体時にも容易に、前記カーペット部材から、部材を剥離させることが出来るので、リサイクル性を向上させることができる。
【００２９】
更に、固化までの時間が短く（例えば、約３分）、工程を短縮して生産効率を向上させることが出来、モジュール生産方式に用いて好適である。
【００３０】
また、前記二液混合ウレタン樹脂は、混合比率及び発泡剤の添加量等を調整することにより、容易に粘性を変更出来るので、流動性を確保して付き廻りを良好としつつ、一定の粘性を与えて、硬化するまで、接着位置に保持させることができる。
【００３１】
このため、ワイヤハーネス等の固定も容易に行うことが出来る。
【００３２】
また、請求項２に記載されたものは、前記カーペット部材の裏面側に添着されたアンカー材が、前記二液混合ウレタン樹脂を固着させて、所望の接着力を与えることが出来る。
【００３３】
例えば、前記カーペット部材の裏面側が、二液混合ウレタン樹脂が接着しにくいポリエチレン樹脂若しくは、ポリエチレン樹脂で覆われている場合でも、アンカー材として不織布を添着させていれば、良好な接着力を得られる。
【００３４】
更に、請求項３に記載されたものは、前記長物部材が、前記スペーサ部材の一部に形成された収納凹溝内に収納された状態で、前記二液混合ウレタン樹脂が用いられて固定される。
【００３５】
この際、前記スペーサ部材を前記カーペット部材の裏面側に固定する二液混合ウレタン樹脂を用いて、同じ方向から前記二液混合ウレタン樹脂を注入できるので、更に生産効率が良好である。
【００３６】
そして、請求項４に記載されたものは、前記スペーサ部材の一部に形成された収納凹溝内に収納されたオープナーケーブル又は、ウォッシャーチューブのうち、少なくとも何れか一つが、前記蓋として用いられるワイヤハーネス部材によって、上方から覆われて固定される。
【００３７】
このため、オープナーケーブル又は、ウォッシャーチューブが、前記収納凹溝から、外れにくく固定される。
【００３８】
更に、請求項５に記載されたものは、前記スペーサ部材の前記収納凹溝の一側壁部が、車両の床部の側縁に沿わせて位置している。
【００３９】
このため、床部の側縁では、該一側壁部によって、前記カーペット部材が下方から支持されているので、上方からの押圧等に対して充分な強度が得られる。
【００４０】
また、請求項６に記載されたものは、前記部材の前記フロアパネル側側面に設けられた擦れ止め突起部が、二液混合ウレタン樹脂によって形成されている。
【００４１】
このため、前記フロアパネルに対する摺接音を減少させることができる。
【００４２】
更に、請求項７に記載されたものは、前記注入孔の開口周縁部が隆起されて、擦れ止め突起部が形成されているので、隆起高さの調整により、容易に前記フロアパネルに対する寸法管理を行うことが出来る。
【００４３】
そして、請求項８に記載されたものは、前記カーペット部材の裏面側に貼設された一対のインシュレータ部材間に、形成される溝部に、前記長物部材が介装されて、前記二液混合ウレタン樹脂によって、該インシュレータ部材の対向する端面部に、該長物部材が固定される。
【００４４】
前記インシュレータ部材に対して、前記二液混合ウレタン樹脂が良好な接着性を有しているので、前記長物部材は、該インシュレータ部材に強固に固着される。
【００４５】
しかも、前記カーペットモジュールを折り畳む際にも、該硬化した二液混合ウレタン樹脂が弾性変形して、折り畳み形状に追従すると共に、車室内で展開しても外れない。
【００４６】
このため、車体の車室内への搬入を容易に行うことができる。
【００４７】
更に、請求項９に記載されたものは、前記インシュレータ部材の端面部に一体に形成された凸設部が、容易に屈曲変形可能であるので、更に、前記カーペットモジュールを折り畳む際にも、折り畳み形状に追従して容易に変形可能とすることができる。
【００４８】
しかも、前記インシュレータ部材の端面部の一部を、突出させて前記凸設部が一体に形成されているので、インシュレータ部材の素材の分量を削減して、更に、軽量化が図れると共に、製造コストの増大を抑制することができる。
【発明を実施するための最良の形態】
【００４９】
次に、図面に基づいて、この発明を実施するための最良の実施の形態のカーペットモジュール構造について説明する。なお、前記従来例と同一乃至均等な部分については同一符号を付して説明する。
【００５０】
図１乃至図１７は、この発明の最良の実施の形態のカーペットモジュール構造を示すものである。
【００５１】
まず、全体の構成について、図１を用いて説明すると、この実施の形態のカーペットモジュール構造では、カーペットモジュール１３が、車両の車室内の床部を構成するフロアパネルに敷設されるカーペット部材１４の裏面側１４ａに、ワイヤハーネス２、リアウォッシャーチューブ３、空調用のフロアダクト５，５、オープナーケーブル９、スペーサ部材１６，１６，１７，１７、インシュレータ１５ａ〜１５ｄ…、及びキックアッププレートＲ，Ｌ等の部材を、一体化することにより、主に形成されている。
【００５２】
これらのワイヤハーネス２等は、車体への搭載前に、予めこのカーペット部材１４の裏面側１４ａに対して、固定手段としての二液混合ウレタン樹脂１８…が用いられて、固定された後、従来の図２０と略同様に、前記フロアパネル１２と、このカーペット部材１４の間に配設されるように、各ワイヤハーネス２等の部材が、前記カーペット部材１４と共に、車室１１に搬入されて、展開され、フロアパネル１２の上面側に敷設されるように構成されている。
【００５３】
次に、この実施の形態のカーペットモジュール構造の作用効果について、説明する。
【００５４】
このように構成された実施の形態のカーペットモジュール構造では、カーペット部材１４の裏面側１４ａに、スペーサ部材１６…等を固定する固定手段として、二液混合ウレタン樹脂１８が用いられている。
【００５５】
このため、カーペット部材１４の表面側に、従来のようにクリップ部材等が露出することが無く、外観品質を良好なものとすることができる。
【００５６】
また、カーペット部材１４の裏面側１４ａが、天然繊維、化学合成繊維等、繊維類で構成されている場合には、前記二液混合ウレタン樹脂１８の固着力が大きく、所望の接着力を容易に得られる。
【００５７】
そして、解体時にも容易に、前記カーペット部材１４から、前記スペーサ部材１６…等、各部材を容易に、剥離させることが出来るので、リサイクル性を向上させることができる。
【００５８】
更に、固化までの時間が短く（例えば、約３分）、工程を短縮して生産効率を向上させることが出来、モジュール生産方式に用いて好適である。
【００５９】
また、前記二液混合ウレタン樹脂１８は、混合比率及び発泡剤の添加量等を調整することにより、容易に、粘性を変更出来るので、流動性を確保して付き廻りを良好としつつ、一定の粘性を与えて、硬化するまで、接着位置に保持させることができる。
【００６０】
このため、ワイヤハーネス２等の配線間を接着材が流下しやすい部材の固定も容易に行うことが出来る。
【実施例１】
【００６１】
図１及び図１５は、この発明の最良の実施の形態の実施例１のカーペットモジュール構造を示すものである。
【００６２】
なお、前記実施の形態と同一乃至均等な部分については、前記実施の形態と同一符号を付して説明する。
【００６３】
まず、この実施例１の構成を説明すると、この実施例１のカーペットモジュール構造では、図９及び図１０に示すように、カーペット部材１４の裏面側１４ａが、ポリエチレン樹脂層等によって覆われていて、このポリエチレン樹脂層等に、インシュレータ１５ａが接着されている。
【００６４】
このインシュレータ１５ａには、図１０に示すような含浸孔１９…が、面上下方向を貫通するように複数形成されていて、前記スペーサ部材１６，１６に貫通形成されて、フロアパネル側側面１６ｂから前記カーペット側側面１６ｃに至る注入孔１６ａに対応されている。
【００６５】
このスペーサ部材１６の注入孔１６ａの開口周縁部には、擦れ止め突起部２０の基台となる略半球状の隆起部２０ａが、一体となるように膨出形成されている。
【００６６】
そして、図１０中、二液混合ウレタン樹脂１８が、スペーサ部材１６の注入孔１６ａから、前記インシュレータ１５ａの含浸孔１９を介して、前記カーペット部材１４の裏面側１４ａに至るまで、図１５に示すようなウレタン注入機２１が用いられて、二液混合ウレタン樹脂１８が注入されて、発泡硬化されることにより、注入孔１６ａの開口周縁部に、二液混合ウレタン樹脂１８が隆起した状態で硬化されて、擦れ止め突起部２０が形成されるように構成されている。
【００６７】
前記ウレタン注入機２１は、主に、ポリオール混合液を貯留する第一貯留槽２１ａと、ポリイソシアネート液を貯留する第二貯留槽２１ｂとが、各々コントロールボックス２１ｃに接続されている。
【００６８】
このコントロールボックス２１ｃは、内部に圧送ポンプ及び制御部を有し、主に、ポリオール混合液と、ポリイソシアネート液との混合比率、添加される発泡剤の分量、圧送ポンプの駆動量等を変更して、吐出条件の設定を行えるように構成されている。
【００６９】
そして、この圧送ポンプの駆動により、前記ポリオール混合液、ポリイソシアネート液及び発泡剤が、混合されて、温調配管２１ｄを介して、先端に設けられた吐出ガン２１ｅのノズル２１ｆから、流動性を有する二液混合ウレタン樹脂液１８ａを吐出可能に構成されている。この実施例１では、この二液混合ウレタン樹脂液１８ａが、固化により、二液混合ウレタン樹脂１８となるまでの時間が、比較的短く（例えば、約３分）なるように、前記混合比等が調整されている。
【００７０】
次に、カーペットモジュール１３の製造工程を、主に、図３乃至図７に沿って説明する。
【００７１】
この実施例１のカーペットモジュール１３は、まず、作業台座に、図３に示すようにカーペット部材１４を裏面側１４ａが、上面となるように略水平に装着する。
【００７２】
このカーペット部材１４の裏面側１４ａには、所定の形状に裁断されて、前記スペーサ部材１６，１７を固定するアンカー材としてのインシュレータ１５ａ〜１５ｄが、貼設される。
【００７３】
この実施例１のインシュレータ１５ａ〜１５ｄは、前記フロアパネル１２の上面側を覆う遮音材として機能すると共に、アンカー材としての機能も有していて、前，後に位置する各インシュレータ１５ａ，１５ｃ及び１５ｂ，１５ｄの対向する端面部１５ｅ，１５ｆには、対向する反対側の端面部１５ｆ，１５ｅ方向に向けて一体となるように、複数の凸設部１５ｊ…が各々突出形成されている。
【００７４】
また、このカーペット部材１４の裏面側１４ａには、前記ワイヤハーネス２を固定するアンカー材としての不織布片２２…が貼設される。
【００７５】
次に、図４に示すように、このカーペット部材１４の裏面側１４ａに、前記キックアッププレートＲ，Ｌが装着されると共に、このカーペット部材１４の裏面側１４ａに貼設された前記インシュレータ１５ａ〜１５ｄの上から各々スペーサ部材１６，１６及び１７，１７が載置される。
【００７６】
このスペーサ部材１６，１６のフロアパネル側側面１６ｂには、予め前記注入孔１６ａ…及び擦れ止め突起部２０…が、四隅近傍に形成されると共に、フロアダクト５，５を装着するダクト凹溝１６ｄ，１６ｄが凹設形成されている。
【００７７】
また、前記スペーサ部材１７，１７には、各注入孔１７ａの開口周縁部に、フロアパネル側側面１７ｂよりも一段低くなるように、図１３に示すような充填凹部１７ｃ…が、各々形成されている。
【００７８】
そして、これらのスペーサ部材１６，１６及び１７，１７のうち、フロアパネル１２の車幅方向の左，右側縁に沿って、車両前後方向には、各々前記ワイヤハーネス２、リアウォッシャーチューブ３、オープナーケーブル９等を収納する収納凹溝２３…が、フロアパネル側を開放する凹状を呈するように各々形成されている。
【００７９】
この実施例１では、収納凹溝２３の車幅方向外側に位置する一側壁部２３ａが、車両の床部の左，右側縁に設けられた図示省略のサイドシル内側に沿って位置するように構成されている。
【００８０】
更に、図５に示すように、前記長物部材としてのワイヤハーネス２が、これらの前記各収納凹溝２３…内に、前記リアウォッシャーチューブ３、オープナーケーブル９に続いて、装着されると共に、このワイヤハーネス２の車幅方向に延設される横断部分２ａが、前記インシュレータ１５ａ〜１５ｄの各端面部１５ｅ，１５ｆ間に形成される溝部１５ｇに、ワイヤハーネス２が介挿される。
【００８１】
この際、図１７に示すように、前記各凸設部１５ｊ…の突出方向の先端面１５ｈ…が、前記ワイヤハーネス２の側面に当接若しくは近接するように、前記各凸設部１５ｊ…の突出寸法が設定されている。
【００８２】
そして、前記ウレタン注入機２１が用いられて、図６に示すように、前記各スペーサ部材１６，１７では、注入孔１６ａ…及び１７ａに前記二液混合ウレタン樹脂液１８ａ…が、注入されると共に、前記溝部１５ｇでは、これらの凸設部１５ｊの突出方向の先端面１５ｈに、前記ワイヤハーネス２の横断部分２ａを、固定するように前記二液混合ウレタン樹脂液１８ａ…が、注入される。
【００８３】
また、前記各収納凹溝２３…内に装着された前記リアウォッシャーチューブ３又は、オープナーケーブル９の上から、蓋として装着されるワイヤハーネス２には、部分的に前記ウレタン注入機２１が用いられて、前記二液混合ウレタン樹脂液１８ａが、滴下される。
【００８４】
この際、この実施例１では、前記不織布片２２…の上面に位置するワイヤハーネス２の部分にも、前記二液混合ウレタン樹脂液１８ａ…が、滴下される。
【００８５】
この状態で、キュアが約３分間、行われて、前記注入若しくは滴下された二液混合ウレタン樹脂液１８ａ…が、固化されて二液混合ウレタン樹脂１８…となる。
【００８６】
この実施例１のカーペットモジュールの組み立てに用いられる二液混合ウレタン樹脂液１８ａは、前記混合比率及び発泡剤の添加量等が調整されていて、粘性が、一定時間約１〜２分）、流動性が確保されている。
【００８７】
このため、例えば、図９に示すようなカーペット部材１４の裏面側１４ａに、貼設されたインシュレータ１５ａの上面まで、前記注入孔１６ａ内を二液混合ウレタン樹脂液１８ａが行き渡ると共に、前記インシュレータ１５ａ〜１５ｄに形成された図１０に示すような含浸孔１９内を、これらの二液混合ウレタン樹脂液１８ａが流下して、前記カーペット部材１４の裏面側１４ａまで到達して、これらのインシュレータ１５ａ〜１５ｄの内周面若しくは、インシュレータ１５ａ〜１５ｄと、裏面側１４ａとの間や、或いは、インシュレータ１５ａ〜１５ｄと、スペーサ部材１６，１７との間等に、廻り込み、各インシュレータ１５ａ〜１５ｄに一部含浸される。
【００８８】
しかも、この実施例１では、前記二液混合ウレタン樹脂液１８ａに、発泡剤が添加されているので、前記注入孔１６ａ及び含浸孔１９内で、発泡して、二液混合ウレタン樹脂１８が膨張するので、更に、付き廻りが良好である。
【００８９】
例えば、図１１に示すように、インシュレータ１５ａの含浸孔１９の位置が、注入孔１７ａから多少ずれていても、滴下により、充分に前記カーペット部材１４の裏面側１４ａまで到達させることができる。
【００９０】
更に、この二液混合ウレタン樹脂液１８ａが、発泡膨張するので、二液混合ウレタン樹脂１８の重量を低減させることが出来、カーペットモジュール１３全体の重量の増大を抑制出来る。
【００９１】
また、この実施例１に用いられる二液混合ウレタン樹脂１８は、繊維類、スペーサ部材１６，１７等を構成する発泡スチロール（ＥＰＳ）や、或いは、ワイヤハーネス２を構成する塩化ビニル製のケーブル被覆２ｄ…、テープ２ｂ、チューブ２ｃ等に対して良好な接着力を有している。
【００９２】
このように、前記カーペット部材１４の裏面側１４ａに添着されたアンカー材としてのインシュレータ１５ａ〜１５ｄに対して、前記二液混合ウレタン樹脂１８が用いられて、前記スペーサ部材１６，１６及び１７，１７が、固定される。
【００９３】
また、図１１に示すような前記長物部材としてのリヤウォッシャーチューブ３及び、図１２に示すようなオープナーケーブル９が、前記蓋としてのワイヤハーネス２と共に、前記スペーサ部材１６，１６の一部に形成された収納凹溝２３，２３内に各々収納された状態で、前記二液混合ウレタン樹脂液１８ａが、ワイヤハーネス２の上方から滴下されて、固定される。
【００９４】
この際、前記スペーサ部材１６，１７を、前記カーペット部材１４の裏面側１４ａに固定する為に、二液混合性ウレタン樹脂液１８ａが注入、充填される工程と同時に、同じ二液混合ウレタン樹脂液１８ａが用いられて、注入方向と同じ方向から、前記カーペット部材１４の裏面側１４ａに向けて、同様に滴下することにより、固定出来る。
【００９５】
従って、各部分の接着に用いる二液混合性ウレタン樹脂液１８ａ…を、共通のロボット装置のロボットアーム先端に固定された前記ウレタン注入機２１のノズル２１ｆから吐出して、同一工程で注入、充填及び滴下が行えるので、更に生産効率が良好である。
【００９６】
そして、前記スペーサ部材１６，１６の一部に形成された収納凹溝２３，２３内に収納されたオープナーケーブル９又は、リヤウォッシャーチューブ３が、前記ワイヤハーネス部材２，２によって、蓋が被せられるように上方から覆われて固定される。
【００９７】
このため、オープナーケーブル９及び、リヤウォッシャーチューブ３が、前記収納凹溝２３，２３内から、外れにくく固定される。
【００９８】
更に、この実施例では、図１又は図６に示すように、前記カーペット部材１４の裏面側１４ａに貼設された車両前後方向二対のインシュレータ部材１５ａ，１５ｃ間及び１５ｂ，１５ｄ間に、形成される溝部１５ｇに、前記ワイヤハーネス２の横断部分２ａが介装されて、前記二液混合ウレタン樹脂液１８ａが滴下されることによって、このインシュレータ１５ａ，１５ｃ間及び１５ｂ，１５ｄ間の対向する端面部１５ｅ，１５ｆ間に、このワイヤハーネス２が固定される。
【００９９】
この際、前記インシュレータ１５ａ，１５ｃ及び１５ｂ，１５ｄの端面部１５ｅ，１５ｆに一体形成された複数の凸設部１５ｊ…の先端部１５ｈ，１５ｈに対して、前記二液混合ウレタン樹脂１８が良好な接着性を有しているので、前記ワイヤハーネス２は、これらの各インシュレータ１５ａ，１５ｃ及び１５ｂ，１５ｄに強固に固着される。
【０１００】
このため、搬送中、若しくは、車両搭載時に脱落しない所望の接着力を与えることが出来る。
【０１０１】
また、この実施例１のように、前記カーペット部材１４の裏面側１４ａが、二液混合ウレタン樹脂１８が接着しにくいポリエチレン樹脂若しくは、ＥＶＡ樹脂で覆われている場合でも、インシュレータ１５ａ〜１５ｄをアンカー材として用いて、良好な接着力を得られる。
【０１０２】
更に、この実施例１では、前記カーペット部材１４の裏面側１４ａにインシュレータ１５ａ〜１５ｄが、存在しない箇所でも、図６若しくは図１６に示すように、予め前記不織布２２，２２を添着させていれば、前記二液混合ウレタン樹脂液１８ａを、上方から滴下して、固化させることにより、良好な接着力を得られる。
【０１０３】
また、この実施例１のカーペットモジュールの組み立てに用いられる二液混合ウレタン樹脂液１８ａは、充填若しくは滴下後、固化により、二液混合ウレタン樹脂１８となるまでの時間が短く（例えば、約３分）、固化後、直ちに、図７及び図８に示すように、裏面側１４ａが外側を向くように、ワイヤハーネス２の横断部分２ａを折れ線として、車両前後方向に二つ折り状態として、搬送台車２４に縦並びに載せることができる。
【０１０４】
そして、この二つ折り状態のカーペットモジュール１３を、図２０に示すような前記車両１０の生産ラインＰの近傍まで、搬送台車２４と共に搬送して、車両１０の車室１１内のフロアパネル１２上に組み込むことができる。
【０１０５】
また、溝部１５ｇを折れ線として、前記カーペットモジュール１３を折り畳む際にも、この硬化した二液混合ウレタン樹脂１８が、図８に示すように弾性変形して、折り畳み形状に追従すると共に、車室１１内で、再び、フロアパネル１２に沿わせて、図１７に示すように、平板形状に展開されても、ワイヤハーネス２の横断部分２ａが、カーペットモジュール１３から外れない。
【０１０６】
このため、車体１０の車室１１内への搬入を容易に行うことができる。
【０１０７】
また、この実施例１では、インシュレータ１５ａ〜１５ｄの端面部１５ｅ，１５ｆから一体に凸設形成された凸設部１５ｊ…が、各々容易に屈曲変形可能であるので、更に、前記カーペットモジュール１３を折り畳む際にも、折り畳み形状に追従して容易に変形可能である。
【０１０８】
しかも、前記インシュレータ１５ａ〜１５ｄの端面部１５ｅ，１５ｆの一部が、突出されて、前記凸設部１５ｊが一体に形成されているので、インシュレータ１５ａ〜１５ｄの素材の分量を削減して、更に、軽量化が図れると共に、製造コストの増大を抑制することができる。
【０１０９】
このカーペットモジュール１３が、前記車室１１内のフロアパネル１２上面に沿わせて敷設されると、図９乃至図１２に示すように、前記スペーサ部材１６，１６のフロアパネル側側面１６ｂから膨出形成される擦れ止め突起部２０…が、二液混合ウレタン樹脂１８によって形成される端面を前記フロアパネル１２の上面に対して当接させて配置される。
【０１１０】
このため、前記フロアパネルの上面に対する摺接音を減少させることが出来、スぺーサ１６等として、軽量でしかも安価な発泡スチロール素材のものを使用しても低級音の発生が抑制される。
【０１１１】
更に、この実施例１では、前記注入孔１６ａの開口周縁部が隆起された隆起部２０ａが設けられて、充填発泡により膨出した二液混合ウレタン樹脂１８が、下支えされて、擦れ止め突起部２０ａが形成されているので、隆起部２０ａの高さの調整により、容易に前記フロアパネル１２に対する寸法管理を行うことが出来る。
【０１１２】
また、この実施例１のスペーサ部材１７では、図１３に示すように、各注入孔１７ａ…の開口周縁部に、フロアパネル側側面１７ｂよりも一段低くなるように、充填凹部１７ｃ…が、各々形成されている。
【０１１３】
このため、前記注入孔１７ａに直接入らず、該充填凹部１７ｃ内に滴下された二液混合ウレタン樹脂液１８ａが、この充填凹部１７ｃ内から、前記注入孔１７ａ内を流下して、カーペット側側面１７ｄに到達して、充填される。
【０１１４】
このように、注入孔１７ａに、二液混合ウレタン樹脂液１８ａを注入する際に、スペーサ部材１７の位置決め精度が、高精度でなくても、前記ウレタン注入機２１の吐出ガン２１ｅを、図示省略のロボット装置のロボットアームの先端に装着して、充填させることが出来、作業者の負担を軽減させることが可能である。
【０１１５】
しかも、前記ウレタン注入機２１の吐出ガン２１ｅのノズル２１ｆから、二液混合ウレタン樹脂液１８ａを吐出させて、滴下及び充填させるだけでよいので、二部材の合わせ面の少なくとも何れか一方に、接着剤を、略均等に塗布若しくは吹きつけ等、塗布する工程を必要とするものに比して、製造工程数を削減出来る。
【０１１６】
また、クリップ部材等の固定具を別途必要としないので、この点においても、製造工程数を削減出来ると共に、部品点数を減少させて、製造コストの増大を抑制できる。
【０１１７】
そして、図１３中、右側の二液混合ウレタン樹脂１８の隆起により形成される擦れ止め突起部３０のように、この充填凹部１７ｃから一定高さだけ、フロアパネル１２方向に、前記二液混合ウレタン樹脂１８を凸設させることにより、前記収納凹溝２３の車幅方向両側に位置する側壁部２３ａ，２３ａと高さ方向で、フロアパネル１２への当接面３１位置を揃えるように、充填形成してもよい。
【０１１８】
更に、この実施例１では、図１，図１１若しくは図１３に示すように、これらのスペーサ部材１６，１７の収納凹溝２３の車幅方向外側に位置する一側壁部２３ａが、車両１０の床部の左，右側縁に設けられた図示省略のサイドシル内側に沿って位置するように構成されている。
【０１１９】
このため、車室１１内の床部の側縁では、これらの一側壁部２３ａ，２３ａによって、前記カーペット部材１４が、下方から支持されているので、上方からの押圧等に対して充分な強度が得られる。
【０１２０】
他の構成、及び作用効果については、前記実施例１のカーペットモジュール構造と略同様であるので説明を省略する。
【実施例２】
【０１２１】
図１８は、この実施の形態の実施例２のカーペットモジュール構造を示すものである。
【０１２２】
まず、構成上の相違点を中心に説明すると、この実施例２のカーペットモジュール構造では、インシュレータ１５ａに、実施例１の含浸孔１９が存在せず、スペーサ部材１６のカーペット側側面１６ｃの注入孔１６ａ周縁に、一定の傾斜角度で、テーパー形状に拡径する拡径部１６ｈが形成されている。
【０１２３】
そして、前記インシュレータ１５ｂのスペーサ部材１６対向面の一部に、前記二液混合ウレタン樹脂液１８ａが流動化可能状態で含浸して、固化する含浸部２５が形成されている。
【０１２４】
このように構成された実施例２のカーペットモジュール構造では、前記拡径部１６ｈのテーパー形状に拡径された形状によって、前記注入孔１６ａから注入された二液混合性ウレタン樹脂液１８ａが、拡径方向に拡大しながら、充填される。
【０１２５】
このため、前記含浸部２５の面積が、増大して、スペーサ部材１６を、前記含浸部２５の比較的広い接着面積で、前記インシュレータ１５ａに、更に強固に、固着させることができる。
【０１２６】
他の構成及び作用効果については、前記実施の形態及び実施例１と同一乃至均等であるので、説明を省略する。
【０１２７】
以上、図面を参照して、本発明の実施の形態を詳述してきたが、具体的な構成は、この実施の形態に限らず、本発明の要旨を逸脱しない程度の設計的変更は、本発明に含まれる。
【０１２８】
即ち、前記実施例１では、二液混合ウレタン樹脂液１８ａに、発泡剤が添加されているが、特にこれに限らず、例えば、発泡剤が添加されていなくても良く、前記ウレタン注入機２１のコントロールボックス２１ｃにおける、ポリオール混合液と、ポリイソシアネート液との混合比率、添加される発泡剤の分量、圧送ポンプの駆動量等の吐出条件が、どのように設定されていてもよく、注入孔１６ａ，１７ａ毎等、接着箇所毎に変更されてもよい。
【０１２９】
また、前記実施例１では、図７及び図８に示すように、裏面側１４ａが外側を向くように、ワイヤハーネス２の横断部分２ａを折れ線として、車両前後方向に二つ折り状態として、搬送台車２４に縦並びに載せるているが、特にこれに限らず、例えば、図４及び図５中、二点鎖線に示すように、カーペット部材１４のセンタトンネル部分を折れ線として、車両幅方向に二つ折り状態としてもよい。
【０１３０】
この場合も、二液混合ウレタン樹脂１８が、弾性変形して、折り畳み形状に追従すると共に、車室１１内で、再び、フロアパネル１２に沿わせて、平板形状に展開されても、ワイヤハーネス２等の固着が外れる虞が減少する。
【図面の簡単な説明】
【０１３１】
【図１】この発明の最良の実施の形態のカーペットモジュール構造で、カーペットモジュールの裏面側の構成を説明する斜視図である。
【図２】実施の形態のカーペットモジュール構造で、カーペット及びインシュレータを外した状態での配置を説明する上面図である。
【図３】実施の形態の実施例１のカーペットモジュール構造で、カーペットの裏面側にインシュレータを貼設する様子を説明する平面図である。
【図４】実施の形態の実施例１のカーペットモジュール構造で、カーペットの裏面側にスペーサ部材等を載置する様子を説明する平面図である。
【図５】実施の形態の実施例１のカーペットモジュール構造で、カーペットの裏面側にワイヤハーネスを装着する様子を説明する平面図である。
【図６】実施の形態の実施例１のカーペットモジュール構造で、カーペットの裏面側に、スペーサ部材、ワイヤハーネス等を、二液混合ウレタン樹脂を用いて固定する様子を説明する平面図である。
【図７】実施の形態の実施例１のカーペットモジュール構造で、カーペットモジュールを二つ折り状態で、搬送する様子を説明する模式図である。
【図８】実施の形態の実施例１のカーペットモジュール構造で、二つ折り状態の折れ線近傍の拡大断面図である。
【図９】実施の形態の実施例１のカーペットモジュール構造で、二液混合ウレタン樹脂液が注入される前の図１中Ａ−Ａ線に沿った位置での断面図である。
【図１０】実施の形態の実施例１のカーペットモジュール構造で、二液混合ウレタン樹脂液が注入されて発泡硬化した様子を説明する図１中Ａ−Ａ線に沿った位置での断面図である。
【図１１】実施の形態の実施例１のカーペットモジュール構造で、二液混合ウレタン樹脂液が注入されて発泡硬化した様子を説明する図１中Ｂ−Ｂ線に沿った位置での断面図である。
【図１２】実施の形態の実施例１のカーペットモジュール構造で、二液混合ウレタン樹脂液が、注入及び滴下されて、発泡硬化した様子を説明する図１中Ｃ−Ｃ線に沿った位置での断面図である。
【図１３】実施の形態の実施例１のカーペットモジュール構造で、二液混合ウレタン樹脂液が、注入及び滴下されて、発泡硬化した様子を説明する図１中Ｄ−Ｄ線に沿った位置での断面図である。
【図１４】実施の形態の実施例１のカーペットモジュール構造で、二液混合ウレタン樹脂液が、注入及び滴下されて、発泡硬化した様子を説明する図１中Ｆ−Ｆ線に沿った位置での断面図である。
【図１５】実施の形態の実施例１のカーペットモジュールの組み立てに用いられるウレタン注入機の斜視図である。
【図１６】実施の形態の実施例１のカーペットモジュール構造で、二液混合ウレタン樹脂液が、滴下されて、硬化した様子を説明する図１中Ｅ−Ｅ線に沿った位置での断面図である。
【図１７】実施の形態の実施例１のカーペットモジュール構造で、二液混合ウレタン樹脂液が、滴下されて、硬化した様子を説明する図１中Ｇ−Ｇ線に沿った位置での断面図である。
【図１８】実施の形態の実施例２のカーペットモジュール構造で、二液混合ウレタン樹脂液が、滴下されて、硬化した様子を説明する図１中Ｈ−Ｈ線に沿った位置に相当する部分での断面図である。
【図１９】従来例のカーペットモジュール構造で、全体の構成を説明する斜視図である。
【図２０】従来例のカーペットモジュール構造で、車体にカーペットモジュールを組み込む様子を説明する模式的な斜視図である。
【符号の説明】
【０１３２】
２        ワイヤハーネス
３        リヤウォッシャーチューブ（ウォッシャーチューブ）
１３      カーペットモジュール
１４      カーペット部材
１４ａ    裏面側
１５ａ〜１５ｄ    インシュレータ（アンカー材）
１５ｅ，１５ｆ    端面
１５ｇ    溝
１５ｊ…  凸設部
１５ｈ    先端面
１６，１７  スペーサ部材
１６ｂ      フロアパネル側側面
１６ｃ      カーペット側側面
１８      二液混合ウレタン樹脂
１８ａ    二液混合ウレタン樹脂液
２０…，３０…  擦れ止め突起部
２０ａ…        隆起部
２２      不織布片（アンカー材）
２３      収納凹溝
２３ａ，２３ａ  一側壁部
【図１】
2007307920.tif 000003
【図２】
2007307920.tif 000004
【図３】
2007307920.tif 000005
【図４】
2007307920.tif 000006
【図５】
2007307920.tif 000007
【図６】
2007307920.tif 000008
【図７】
2007307920.tif 000009
【図８】
2007307920.tif 000010
【図９】
2007307920.tif 000011
【図１０】
2007307920.tif 000012
【図１１】
2007307920.tif 000013
【図１２】
2007307920.tif 000014
【図１３】
2007307920.tif 000015
【図１４】
2007307920.tif 000016
【図１５】
2007307920.tif 000017
【図１６】
2007307920.tif 000018
【図１７】
2007307920.tif 000019
【図１８】
2007307920.tif 000020
【図１９】
2007307920.tif 000021
【図２０】
2007307920.tif 000022